(57)【要約】【課題】ストレージシステムに係わり、マスタサイト被災時などに、リモートサイト側で子ストレージ装置内に格納されているバックアップデータを迅速に読み出しすることができる技術を提供する。【解決手段】本システムは、マスタサイトに正ボリューム（Ｖ１）と副ボリューム（Ｖ２）を有する親ストレージ装置１１０を、リモートサイトにＶ２のデータを格納するバックアップボリュームを有する子ストレージ装置１２０を有し、Ｖ１のデータのリモートバックアップを行う。リモートサイト側で、いずれかの装置内に、対象ボリュームの管理情報（Ｃ）を格納しておく。バックアップボリュームのデータを読み出す際、例えば１つの子ストレージ装置１２０で、管理情報（Ｃ）を読み出し、それに基づき、複数のバックアップボリュームのデータを収集し１つのボリュームとして統合する処理を行う。【選択図】図１
2008186142.tif 000002
【特許請求の範囲】
【請求項１】
マスタサイトに親ストレージ装置を有し、リモートサイトに１つ以上の子ストレージ装置を有し、前記親ストレージ装置と前記子ストレージ装置が外部接続によりリモートで通信接続されるストレージシステムにおいて、前記親ストレージ装置内に、正ボリュームと、そのペアとなる副ボリュームとを有し、前記１つ以上の子ストレージ装置内に、前記副ボリュームのデータを格納する１つ以上のバックアップのボリュームを有し、前記親ストレージ装置の内部での前記正ボリュームから副ボリュームへの第１のデータコピー処理と、前記副ボリュームから前記子ストレージ装置内の前記バックアップのボリュームへの第２のデータコピー処理と、によりリモートバックアップ処理を行うリモートバックアップ方法であって、
前記リモートサイトにおける前記子ストレージ装置またはそれに対し接続されるホスト装置のうちの少なくとも１つの第１の装置内に、前記バックアップの対象のボリュームに関する管理情報を格納しておき、
前記１つ以上の子ストレージ装置内に、前記バックアップのボリュームのデータが、複数のボリュームのデータに分けて格納される場合において、
前記リモートサイトにおいて、前記バックアップのボリュームのデータを読み出す又は読み出し可能状態にする際、
前記リモートサイトにおける前記子ストレージ装置またはそれに対し接続されるホスト装置のうちの１つの第２の装置において、前記第１の装置内に格納されている管理情報を読み出して参照し、それに基づき、前記バックアップのボリュームに対応する複数のボリュームのデータを、前記１つ以上の子ストレージ装置との間のデータコピーにより収集し、１つのボリュームとして統合する処理を行うこと、を特徴とするリモートバックアップ方法。
【請求項２】
請求項１記載のリモートバックアップ方法において、
前記バックアップの複数のボリューム内にそれぞれ前記管理情報を書き込んでおき、
前記リモートサイトにおいて、前記バックアップのボリュームのデータを読み出す又は読み出し可能状態にする際、
前記バックアップのボリュームを格納している１つの子ストレージ装置において、前記バックアップのボリューム内の前記管理情報を読み出して参照し、それに基づき、前記１つ以上の子ストレージ装置との間でのデータコピーにより、前記バックアップの複数のボリュームのデータを収集して、１つのボリュームとして統合する処理を行うこと、を特徴とするリモートバックアップ方法。
【請求項３】
請求項１記載のリモートバックアップ方法において、
前記１つ以上の子ストレージ装置に対し接続されるホスト装置内に、前記管理情報を格納しておき、
前記リモートサイトにおいて、前記バックアップのボリュームのデータを読み出す又は読み出し可能状態にする際、
前記ホスト装置において、前記管理情報を読み出して参照し、それに基づき、前記１つ以上の子ストレージ装置からのデータコピーにより、前記バックアップの複数のボリュームのデータを収集して、１つのボリュームとして統合する処理を行うこと、を特徴とするリモートバックアップ方法。
【請求項４】
親ストレージ装置と、１つ以上の子ストレージ装置とを有し、前記親ストレージ装置と前記子ストレージ装置が通信接続されるストレージシステムにおいて、前記親ストレージ装置内に、正ボリュームと、そのペアとなる副ボリュームとを有し、前記１つ以上の子ストレージ装置内に、前記副ボリュームのデータを格納する１つ以上のバックアップのボリュームを有し、前記親ストレージ装置の内部での前記正ボリュームから副ボリュームへの第１のデータコピー処理と、前記副ボリュームから前記子ストレージ装置内の前記バックアップのボリュームへの第２のデータコピー処理とにより、リモートバックアップ処理を行うリモートバックアップ方法であって、
前記子ストレージ装置またはそれに対し接続されるホスト装置のうちの少なくとも１つの第１の装置内に、前記バックアップの対象のボリュームに関する管理情報を格納しておき、
前記１つ以上の子ストレージ装置内に、前記バックアップのボリュームのデータが、複数のボリュームのデータに分けて格納される場合で、
前記１つ以上の子ストレージ装置に対し、前記親ストレージ装置からのデータ移行先となる新親ストレージ装置が接続される場合において、
前記新親ストレージ装置において、前記第１の装置内に格納されている管理情報を読み出して参照し、それに基づき、前記新親ストレージ装置の内部に、前記バックアップのボリュームに対応する複数のボリュームのデータを、前記１つ以上の子ストレージ装置との間のデータコピーにより収集し、１つのボリュームとして統合し、そのボリュームから前記正ボリュームに対応するボリュームへのボリュームコピーによりデータリストア処理を行うこと、を特徴とするリモートバックアップ方法。
【請求項５】
マスタサイトに親ストレージ装置を有し、リモートサイトに１つ以上の子ストレージ装置を有し、前記親ストレージ装置と前記子ストレージ装置が外部接続によりリモートで通信接続されるストレージシステムであって、
前記親ストレージ装置内に、正ボリュームと、そのペアとなる副ボリュームとを有し、前記１つ以上の子ストレージ装置内に、前記副ボリュームのデータを格納する１つ以上のバックアップのボリュームを有し、前記親ストレージ装置の内部での前記正ボリュームから副ボリュームへの第１のデータコピー処理と、前記副ボリュームから前記子ストレージ装置内の前記バックアップのボリュームへの第２のデータコピー処理とにより、リモートバックアップ処理を行うものであり、
前記リモートサイトにおける前記子ストレージ装置またはそれに対し接続されるホスト装置のうちの少なくとも１つの第１の装置内に、前記バックアップの対象のボリュームに関する管理情報を格納しておき、
前記１つ以上の子ストレージ装置内に、前記バックアップのボリュームのデータが、複数のボリュームのデータに分けて格納される場合において、
前記リモートサイトにおいて、前記バックアップのボリュームのデータを読み出す又は読み出し可能状態にする際、
前記リモートサイトにおける前記子ストレージ装置またはそれに対し接続されるホスト装置のうちの１つの第２の装置において、前記第１の装置内に格納されている管理情報を読み出して参照し、それに基づき、
前記第２の装置において、前記バックアップのボリュームに対応する複数のボリュームのデータを、前記１つ以上の子ストレージ装置との間のデータコピーにより収集し、１つのボリュームとして統合する処理を行うこと、を特徴とするストレージシステム。
【請求項６】
請求項５記載のストレージシステムにおいて、
前記リモートサイトにおいて、前記バックアップのボリュームのデータを読み出す又は読み出し可能状態にする際、
前記管理情報を格納しているうちの１つの子ストレージ装置において、前記第１の装置内の前記管理情報を読み出して参照し、それに基づき、前記１つ以上の子ストレージ装置との間でのデータコピーにより、前記バックアップの複数のボリュームのデータを収集して、１つのボリュームとして統合する処理を行うこと、を特徴とするストレージシステム。
【請求項７】
請求項６記載のストレージシステムにおいて、
前記リモートサイトにおける前記子ストレージ装置に対し接続されるホスト装置から、指定した１つの子ストレージ装置へ、要求を送信し、その要求を受けた子ストレージ装置が前記統合の処理を行って前記ホスト装置へ応答を送信し、その応答を受けたホスト装置が前記子ストレージ装置から前記統合されたボリュームのデータを読み出すこと、を特徴とするストレージシステム。
【請求項８】
請求項６記載のストレージシステムにおいて、
前記統合の後に、前記マスタサイトの親ストレージ装置において、前記統合により更新された管理情報を読み出して参照し、それに基づき、前記親ストレージ装置の内部の前記副ボリュームに、前記１つの子ストレージ装置の前記統合されたボリュームのデータをデータコピーにより取得し、その副ボリュームから前記正ボリュームへのボリュームコピーによりデータリストア処理を行うこと、を特徴とするストレージシステム。
【請求項９】
請求項５記載のストレージシステムにおいて、
前記リモートサイトにおいて、前記バックアップのボリュームのデータを読み出す又は読み出し可能状態にする際、
前記子ストレージ装置に対し接続されるホスト装置において、前記第１の装置内の前記管理情報を読み出して参照し、それに基づき、前記１つ以上の子ストレージ装置からのデータコピーにより、前記バックアップの複数のボリュームのデータを収集して、１つのボリュームとして統合する処理を行うこと、を特徴とするストレージシステム。
【請求項１０】
請求項５記載のストレージシステムにおいて、
前記リモートサイトにおいて、前記１つ以上の子ストレージ装置に対し、前記親ストレージ装置の代替の親ストレージ装置が接続される場合において、
前記代替の親ストレージ装置において、前記リモートサイト内の前記第１の装置内に格納されている管理情報を読み出して参照し、それに基づき、前記１つ以上の子ストレージ装置からのデータコピーにより、前記バックアップの複数のボリュームのデータを収集して、１つのボリュームとして統合し、そのボリュームから前記正ボリュームに対応するボリュームへのボリュームコピーによりデータリストア処理を行うこと、を特徴とするストレージシステム。
【請求項１１】
請求項１０記載のストレージシステムにおいて、
前記リモートサイトの前記代替の親ストレージ装置における前記正ボリュームのデータリストア処理の後に、前記マスタサイトの親ストレージ装置において、前記管理情報を読み出して参照し、それに基づき、前記親ストレージ装置の内部の前記副ボリュームに、前記代替の親ストレージ装置の前記統合されたボリュームのデータをデータコピーにより取得し、その副ボリュームから前記正ボリュームへのボリュームコピーによりデータリストア処理を行うこと、を特徴とするストレージシステム。
【請求項１２】
親ストレージ装置と、１つ以上の子ストレージ装置とを有し、前記親ストレージ装置と前記子ストレージ装置が通信接続されるストレージシステムであって、
前記親ストレージ装置内に、正ボリュームと、そのペアとなる副ボリュームとを有し、前記１つ以上の子ストレージ装置内に、前記副ボリュームのデータを格納する１つ以上のバックアップのボリュームを有し、前記親ストレージ装置の内部での前記正ボリュームから副ボリュームへの第１のデータコピー処理と、前記副ボリュームから前記子ストレージ装置内の前記バックアップのボリュームへの第２のデータコピー処理とにより、リモートバックアップ処理を行い、
前記子ストレージ装置またはそれに対し接続されるホスト装置のうちの少なくとも１つの第１の装置内に、前記バックアップの対象のボリュームに関する管理情報を格納しておき、
前記１つ以上の子ストレージ装置内に、前記バックアップのボリュームのデータが、複数のボリュームのデータに分けて格納される場合で、
前記複数の子ストレージ装置に対し、前記親ストレージ装置からのデータ移行先となる新親ストレージ装置が接続される場合において、
前記新親ストレージ装置において、前記第１の装置内に格納されている管理情報を読み出して参照し、それに基づき、前記バックアップのボリュームに対応する複数のボリュームのデータを、前記１つ以上の子ストレージ装置との間のデータコピーにより収集し、１つのボリュームとして統合し、そのボリュームから前記正ボリュームに対応するボリュームへのボリュームコピーによりデータリストア処理を行うこと、を特徴とするストレージシステム。
【請求項１３】
請求項５記載のストレージシステムにおいて、
前記管理情報が、前記リモートサイトの前記１つ以上の子ストレージ装置内に格納される前記バックアップの複数のボリューム内にそれぞれ書き込まれることを特徴とするストレージシステム。
【請求項１４】
請求項５記載のストレージシステムにおいて、
前記管理情報が、前記リモートサイトの前記１つ以上の子ストレージ装置に対し接続されるホスト装置内に格納されることを特徴とするストレージシステム。
【請求項１５】
請求項５，６，９のいずれか一項に記載のストレージシステムにおいて、
前記親ストレージ装置は、複数の論理ユニットを１つの論理ユニットとして扱う論理ユニットサイズ拡張処理を行い、
前記正ボリューム及び副ボリュームは、前記論理ユニットサイズ拡張処理によるボリュームであり、前記バックアップのボリュームは、複数の論理ユニットに分けて前記複数の子ストレージ装置内に格納されること、を特徴とするストレージシステム。
【請求項１６】
請求項５，６，９のいずれか一項に記載のストレージシステムにおいて、
前記管理情報は、前記正ボリュームと副ボリュームのペアの管理情報、及び、前記副ボリュームと前記バックアップの複数のボリュームとそれらを格納するストレージ装置との対応付けの情報、を含むこと、を特徴とするストレージシステム。
【発明の詳細な説明】
【技術分野】
【０００１】
本発明は、ハードディスクドライブ（ＨＤＤ）等の記憶装置に対するデータの格納を制御するストレージ装置（ディスクアレイ装置）及びストレージシステムに関し、特に、外部接続ストレージ装置を利用したリモートバックアップに関する。
【背景技術】
【０００２】
従来のストレージシステムにおいて、マスタサイトに親ストレージ装置を有し、リモートサイトにバックアップデータ保存用の子ストレージ装置を有する構成がある。親ストレージ装置が備える、内部ボリュームコピー機能（ボリュームコピー機能）、外部接続機能（外部の子ストレージ装置と通信接続する機能）、及びＬＵＳＥ（論理ユニットサイズ拡張）等の機能を用いて、リモートバックアップシステム（機能）を構成することができる（図１５）。
【０００３】
上記構成において、マスタサイトの被災により親ストレージ装置が損失した場合に、リモートサイト側において子ストレージ装置内に保存されているバックアップデータ（副ボリュームのデータ）を読み出すことを考える。ここで、そのバックアップデータが、１つ以上の子ストレージ装置における複数のストレージボリューム（論理ユニット等）に分けて格納されている場合がある。その場合、リモートサイトの例えばホスト装置から、それら子ストレージ装置内のバックアップデータを読み出ししようとしても、それを構成する上記複数のボリューム（論理ユニット等）のデータを、連続した１つのデータとして読み出しすることができない。これは、リモートサイト側では当該ボリューム及びデータ群を１つのバックアップボリュームとしては管理していないこと等による。上記の場合、リモートサイト側でバックアップデータを正常に読み出すには、例えば、代替の親ストレージ装置を準備（接続）して、手動で元の構成を復旧させること等が必要になり、時間及び手間がかかる。
【０００４】
また、上記構成では、旧ストレージ装置（親）から新ストレージ装置（子）へのデータ移行などを行う場合でも、時間及び手間がかかる（図１６，図１７）。
【０００５】
例えば特開２００５−１１２７７号公報（特許文献１）には、外部ストレージに接続されるストレージ装置について記載されている。
【特許文献１】特開２００５−１１２７７号公報
【発明の開示】
【発明が解決しようとする課題】
【０００６】
前記背景技術で示すシステムでは、例えばマスタサイト被災時にリモートサイト側でバックアップデータを読み出ししようとしても、前述した場合（バックアップデータが複数のボリュームに分けて格納されている場合）には不可能である。また、それが可能な場合であっても時間及び手間が比較的大きくかかる。マスタサイト被災時などにおいても、迅速に正常なバックアップデータの読み出しが可能であることが望まれる。
【０００７】
本発明は以上のような問題に鑑みてなされたものであり、その目的は、上記のようなストレージシステム及びリモートバックアップシステムに係わり、マスタサイト被災時などに、リモートサイト側で子ストレージ装置内に格納されているバックアップデータを迅速に読み出しすることができる技術を提供することである。また特に、目的は、リモートサイト側で複数のストレージボリュームに分けて格納されているために１つのデータとして連続に読み出すことができなかったＬＵＳＥボリューム等のバックアップデータを、迅速に読み出しすることができる技術を提供することである。
【課題を解決するための手段】
【０００８】
本願において開示される発明のうち、代表的なものの概要を簡単に説明すれば、次のとおりである。前記目的を達成するために、本発明は、制御装置と記憶領域を備えるストレージ装置を有するストレージシステム、及びリモートバックアップシステムに係わる技術であって、以下に示す構成を備えることを特徴とする。
【０００９】
本システムにおいて、マスタサイトにおける親ストレージ装置（Ｓ１）内に、ホスト装置からデータ入出力される正ボリューム（Ｖ１）と、そのバックアップのための副ボリューム（Ｖ２）とのペアを有し、副ボリューム（Ｖ２）のデータ実体を、リモートサイトにおける子ストレージ装置内のボリューム（論理ユニット等のバックアップボリューム）にバックアップデータとして格納する処理（リモートバックアップ処理）を行う。特に、上記バックアップデータが、リモートサイトにおける１つ以上の子ストレージ装置に、複数のバックアップボリュームとして分けて格納される場合を考える。親ストレージ装置（Ｓ１）が有する内部ボリュームコピー機能と外部接続機能、及びＬＵＳＥ機能などの機能（処理）により、リモートバックアップシステム（機能）が構成される。親ストレージ装置で内部ボリュームコピー機能を用いてＶ１からＶ２へのデータコピーを行い、また、親ストレージ装置と子ストレージ装置との間で外部接続機能を用いてＶ２から子ストレージ装置内のバックアップボリュームへのデータコピーを行う。
【００１０】
マスタサイト被災等により親ストレージ装置（Ｓ１）が損失を受けた場合（使用不可能状態）等において、リモートサイト側のバックアップデータを利用したい。しかしながら、従来では、リモートサイトにおいて例えばホスト装置からは、それら子ストレージ装置（Ｓ２）内の対象のバックアップボリュームのデータを、１つの連続したデータ（ボリューム）として読み出すことができない。
【００１１】
本発明のシステムでは、上記リモートバックアップシステム（機能）を構築・修正する際などに、リモートサイト内のいずれかの所定の場所に、対象ボリュームの管理情報（Ｃ）を保存しておく。管理情報（Ｃ）は、対象ボリューム（Ｖ１，Ｖ２，バックアップボリューム）とその格納場所（ストレージ装置）などの対応関係やボリューム構成情報などを含む。管理情報（Ｃ）の保存の場所は、例えば、子ストレージ装置（Ｓ２）内、特に各バックアップボリューム内への書き込みや、子ストレージ装置（Ｓ２）に対して接続されるホスト装置内メモリなどである。
【００１２】
そして、本システムでは、対象ボリューム（Ｖ１）のバックアップデータの利用が必要な際に、下記方式（構成）のいずれかを用いて、リモートサイト側で、前記管理情報（Ｃ）の参照に基づき、子ストレージ装置に格納されているバックアップデータを１つのデータとして読み出す。特に、対象ボリューム（Ｖ１）は、ＬＵＳＥボリュームであり、そのバックアップデータが、複数の子ストレージ装置における複数のバックアップボリュームのデータ群として格納されている場合である。
【００１３】
（１）第１の方式として、バックアップボリュームを格納している装置のうちの、１つの子ストレージ装置において、読み出した管理情報（Ｃ）に基づき、複数の子ストレージ装置間でのデータコピー等により、バックアップボリュームのデータ群を１つのボリューム（Ｖ３）として統合（再構成）する処理を行う。統合されたボリューム（Ｖ３）のデータを、ホスト装置等から読み出しすることができる。
【００１４】
（２）第２の方式として、子ストレージ装置に接続されるホスト装置において、読み出した管理情報（Ｃ）に基づき、論理ボリューム管理機能等を用いて、バックアップボリュームのデータ群を１つのボリュームとして統合する処理を行う。
【００１５】
（３）第３の方式として、システムに新たに準備（接続）した代替の親ストレージ装置において、読み出した管理情報（Ｃ）に基づき、自動的なリストア処理を行う。即ち、上記（１）や（２）と同様に、代替親ストレージ装置と子ストレージ装置の間でのデータコピー等により、代替親ストレージ装置内にバックアップボリュームのデータ群を１つのボリューム（Ｖ３）として統合し、そのボリューム（Ｖ３）（Ｖ２相当）から正ボリューム（Ｖ１）へのデータリストア処理を行う。
【００１６】
更に、上記構成及び処理によって読み出し可能な状態にしたバックアップデータを利用して、マスタサイトの親ストレージ装置への正ボリューム（Ｖ１）のデータリストア処理などを行う構成としてもよい。
【発明の効果】
【００１７】
本願において開示される発明のうち、代表的なものによって得られる効果を簡単に説明すれば以下のとおりである。本発明によれば、ストレージシステム及びリモートバックアップシステムに係わり、マスタサイト被災時などに、リモートサイト側で子ストレージ装置に格納されているバックアップデータを迅速に読み出しすることができる。また特に、従来は複数のストレージボリュームに分けて格納されているため１つのデータとして連続に読み出すことができなかったＬＵＳＥボリューム等のバックアップデータを迅速に読み出しすることができる。
【発明を実施するための最良の形態】
【００１８】
以下、本発明の実施の形態を図面に基づいて詳細に説明する。なお、実施の形態を説明するための全図において、同一部には原則として同一符号を付し、その繰り返しの説明は省略する。
【００１９】
以下、必要に応じ、ボリューム（ストレージボリューム）をＶと略する。論理ユニットをＬＵと略する。正ボリューム（１次ボリューム）を正Ｖ、副ボリューム（２次ボリューム）を副Ｖと略する。
【００２０】
＜概要＞
本実施の形態の概要は以下である。本ストレージシステムでは、通常時、マスタサイトの親ストレージ装置（Ｓ１）のＬＵＳＥ正Ｖ（Ｖ１）とＬＵＳＥ副Ｖ（Ｖ２）のペアにおけるＶ２のデータを、リモートサイトの複数の子ストレージ装置（Ｓ２）内にバックアップデータ（複数のバックアップボリューム）として格納するリモートバックアップ処理を行っている。マスタサイト被災により親ストレージ装置が損失を受けた場合、リモートサイト側において、バックアップデータ（Ｖ２のデータ）を読み出ししたいが、ホスト装置等から、複数の子ストレージ装置内に分けて格納されているボリュームのデータを、１つのデータ（ボリューム）として読み出すことはできない。
【００２１】
本システムでは、リモートサイト内（子ストレージ装置またはホスト装置等）に、対象のボリューム（Ｖ２）の管理情報（Ｃ）を保存しておく。そして、例えば下記のいずれかの方式に従って、リモートサイト側でバックアップデータを読み出す。
【００２２】
（１）第１の方式として、子ストレージ装置（Ｓ２）で、管理情報（Ｃ）をもとに、子ストレージ装置（Ｓ２）間でのＶコピーによる対象ボリューム（Ｖ２）の統合処理を行う（１つのデータとして読み出し可能にする）。
【００２３】
（２）第２の方式として、ホスト装置で、管理情報（Ｃ）をもとに、ＬＶＭ機能等を用いて、対象ボリュームの統合処理を行う。
【００２４】
（３）第３の方式として、新たに用意された代替の親ストレージ装置による、自動的なリストア処理により、対象ボリュームの統合処理を行う。
【００２５】
＜従来−システム＞
図１５〜図１７を用いて、本発明の実施の形態をわかりやすく説明するために、本発明の実施の形態に対する従来技術（前提技術）について簡単に説明する。
【００２６】
図１５において、前提システム構成を示している。本システムにおいて、マスタサイト（第１サイト）には、日々の業務用ストレージとして、親ストレージ装置（Ｓ１）９１０が存在し、リモートサイト（第２サイト）には、親ストレージ装置（Ｓ１）９１０のバックアップデータ保存用として、子ストレージ装置（Ｓ２）９２０が存在する。子ストレージ装置（Ｓ２）９２０は、例えば複数（＃１〜＃３）存在できる。典型的には、子側のストレージ装置としては、親側のストレージ装置よりも規模や性能等が小さいものを使用することが可能である。
【００２７】
なお、「マスタ」は、通常業務に使用する側、「リモート」は、バックアップデータを保持する側を指している。また、「親」に対して「子」は、外部接続される側を指している。
【００２８】
親ストレージ装置（Ｓ１）９１０に対して、例えばＦＣ−ＳＷ（ファイバチャネルスイッチ）等を介して、業務処理等を行うホスト装置９０１が接続されている。親ストレージ装置（Ｓ１）９１０と子ストレージ装置（Ｓ２）９２０は、親ストレージ装置（Ｓ１）９１０の外部接続機能を用いて、例えばファイバチャネル（ＦＣ）接続されている。その接続では、エクステンダなどの機器を使用して、ＷＡＮ（ワイドエリアネットワーク）越しに接続されている。
【００２９】
親ストレージ装置（Ｓ１）９１０は、リモートバックアップ機能を構成する機能として、Ｖコピー機能（内部ボリュームコピー機能）と外部接続機能などを備え、また、ＬＵＳＥ機能（ＬＵＳＥ：論理ユニットサイズ拡張）などを備える。Ｖコピー機能は、ストレージ装置内部でボリュームをコピーする機能である。外部接続機能は、外部の子ストレージ装置（Ｓ２）９２０等と通信接続する機能である。公知技術であるＬＵＳＥ機能は、複数のＬＵをまとめて１つのボリュームとして使用することにより、大サイズのデータの扱いを可能にする。以下では、簡単のため、親ストレージ装置等にＬＵＳＥ機能による１つのボリューム（ＬＵＳＥボリューム）のみ有する場合を説明する。
【００３０】
親ストレージ装置（Ｓ１）９１０内では、ＬＵＳＥ機能を用いて、複数のＬＵを、１つのボリューム（ＬＵＳＥ正Ｖ（または単に正Ｖ）：Ｖ１とする）として使用している。例えば、正Ｖ（Ｖ１）を構成するＬＵ群を、ＬＵ１〜ＬＵ４とする。ホスト装置９０１から親ストレージ装置（Ｓ１）９１０に対するデータの読み書き（入出力）は、この正Ｖ（Ｖ１）に対して行われる。
【００３１】
また、マスタサイトの親ストレージ装置（Ｓ１）９１０では、この正Ｖ（Ｖ１）のペアとなるバックアップ用ボリュームとして、同容量の副ボリューム（ＬＵＳＥ副Ｖ（または単に副Ｖ）：Ｖ２とする）を定義する。そして、通常時、親ストレージ装置（Ｓ１）９１０の内部では、Ｖコピー機能を用いて、このペアの制御における正Ｖ（Ｖ１）から副Ｖ（Ｖ２）へのボリュームコピー（複製作成、データ同期化処理）を行うことにより、バックアップを行う。正Ｖ（Ｖ１）のＬＵ群（ＬＵ１〜ＬＵ４）に対応した、副Ｖ（Ｖ２）のＬＵ群を、例えば｛ＬＵ１１，ＬＵ１２，ＬＵ２１，ＬＵ３２｝とする。
【００３２】
このバックアップ用ボリューム（副Ｖ（Ｖ２））のデータ実体は、外部接続機能により、リモートサイト側の子ストレージ装置（Ｓ２）９２０内のバックアップボリューム（Ｂ）として存在する。特に、バックアップボリューム（Ｂ）は、複数の子ストレージ装置（＃１〜＃３）９２０にまたがって複数のバックアップボリューム（Ｂ１〜Ｂ４）に分けられて、対応するＬＵ群｛ＬＵ１１，ＬＵ１２，ＬＵ２１，ＬＵ３２｝として存在する。本例では、それらは、子ストレージ装置＃１内のＬＵ１１（Ｂ１）とＬＵ１２（Ｂ２）、子ストレージ装置＃２内のＬＵ２１（Ｂ３）、子ストレージ装置＃３内のＬＵ３２（Ｂ４）として存在する。外部接続機能を用いて、親と子のストレージ装置間で、矢印で示すように、各対応するＬＵ同士の間で、データ実体がリモートコピーされる。
【００３３】
上記バックアップボリュームについて、マスタサイト（親ストレージ装置（Ｓ１）９１０）側では、ＬＵＳＥ副Ｖ（Ｖ２）として管理しているが、リモートサイト側では、通常の論理ボリューム（ＬＵ）として管理しており、１つのボリュームとしては管理されていない。
【００３４】
このように、親ストレージ装置（Ｓ１）９１０を含むストレージシステムにおいて、外部接続機能とＶコピー機能を併用することにより、リモートバックアップシステム（機能）を構成することができる。また、本ケースでは特に、それとＬＵＳＥ機能を併用する場合を示している。
【００３５】
上記構成において、マスタサイト被災により親ストレージ装置９１０が損失した場合（使用不可能状態）、以下のような事態が発生し得る。正Ｖ（Ｖ１）の復元等の目的で、リモートサイト側において、子ストレージ装置内に保存されている、副Ｖ（Ｖ２）のデータ実体であるバックアップボリューム（Ｂ）を読み出し（取得）すること、換言すれば副Ｖ（Ｖ２）データを再構成すること、を考える。
【００３６】
バックアップボリューム（Ｂ）が、１つ以上の子ストレージ装置（Ｓ２）９２０における複数のストレージボリュームに分けて格納されている場合がある。即ち本例で示すように、当該ボリューム（Ｂ）を構成する複数のＬＵ（ＬＵ１１，ＬＵ１２，ＬＵ２１，ＬＵ３２）が、複数の子ストレージ装置（＃１〜＃３）９２０に分けて格納されている場合などである。その場合、リモートサイト側の例えばホスト装置９０２（あるいはＳＶＰ等）から、子ストレージ装置（Ｓ２）９２０内のバックアップボリューム（Ｂ）を読み出ししようとしても、それを構成する複数のストレージボリューム（Ｂ１〜Ｂ４）即ち複数のＬＵを、連続した１つのデータ（ボリューム）として読み出しすることができない。これは、前述のように、バックアップデータに関して、マスタサイト側では副Ｖ（Ｖ２）として管理しているが、リモートサイト側では、１つのボリュームとしては管理していないこと等による。
【００３７】
上記場合で、リモートサイト側でバックアップデータ（Ｂ）を読み出すには、例えば、システムに対し代替の親ストレージ装置を準備（接続）して、手動で元の構成を復旧させること等が必要になり、時間及び手間がかかる。
【００３８】
＜従来−バックアップ処理・リストア処理＞
前記図１５を用いて、前提システム構成における、バックアップ処理及びリストア処理について簡単に説明する。本実施の形態でも同様の処理を用いる。
【００３９】
まず、バックアップ処理（オンラインバックアップ処理）については以下である。親ストレージ装置（Ｓ１）９１０において、Ｖコピー機能（複製作成機能）を使用した、ペアである正Ｖ（Ｖ１）から副Ｖ（Ｖ２）へのバックアップ処理を行う。バックアップのタイミングは、日次、月次などである。
【００４０】
ペア前提状態は、「ペアサスペンド（ペア一時分割）」状態である。コマンドや手順は以下である。（１）バックアップの実行の際、ホスト装置９０１から親ストレージ装置（Ｓ１）９１０へ、バックアップ開始指示を行う。（２）指示された親ストレージ装置（Ｓ１）９１０から、ホスト装置９０１へ、完了通知を行う。（３）ホスト装置９０１から親ストレージ装置（Ｓ１）９１０へ、「ペアサスペンド」指示を行う。
【００４１】
次に、リストア処理は以下である。親ストレージ装置（Ｓ１）９１０において、Ｖコピー機能（複製作成機能）を使用した、副Ｖ（Ｖ２）から正Ｖ（Ｖ１）へのリストア処理を行う。これは、正Ｖ（Ｖ１）のデータの不整合時などに行われる。
【００４２】
ペア前提状態は、「ペアサスペンド」状態である。コマンドや手順は以下である。（１）リストアの実行の際、ホスト装置９０１から親ストレージ装置（Ｓ１）９１０へ、リストア開始指示を行う。（２）指示された親ストレージ装置（Ｓ１）９１０から、ホスト装置９０１へ、完了通知を行う。（３）ホスト装置９０１から親ストレージ装置（Ｓ１）へ、「ペアサスペンド」指示を行う。
【００４３】
上記各処理は、公知のＶコピー機能（複製作成機能）等を使用することで、ホスト装置９０１によるオンラインでの業務処理を継続したまま、ホスト装置９０１を介在せずに実現できる。
【００４４】
＜従来−ストレージマイグレーション＞
また、図１６，図１７において、後述の実施の形態４（第４の方式）等に関連して、従来のストレージシステムでのマイグレーション（移行）について簡単に説明する。図１６において、旧ストレージ装置（親）９１１には、前述同様に正Ｖ（Ｖ１）と副Ｖ（Ｖ２）を格納している。システムに、旧ストレージ装置（親）９１１の外部接続ストレージ装置として、データ移行先である新ストレージ装置（子）９１２を接続する。副Ｖ（Ｖ２）を新ストレージ装置９１２内のＬＵとして、ペア制御によるＶコピー機能（複製作成機能）等を使用して、正Ｖ（Ｖ１）から副Ｖ（Ｖ２）へのデータコピーを行うことにより、データ移行を行う。
【００４５】
更に、図１７において、従来のストレージシステムでのマイグレーションにおいて、前記図１５のように外部接続が存在する場合について説明する。本従来の方式では大きな手間がかかることを説明する。
【００４６】
旧ストレージ装置（親）９１１が外部接続の子ストレージ装置（Ｓ２１）９２１（例：＃１〜＃３）を有している構成において、新ストレージ装置（子）９１２へデータ移行を行う場合を考える。この場合、新ストレージ装置（子）９１２側にも同様に子ストレージ装置（Ｓ２２）９２２（＃１〜＃３）を準備（接続）する必要がある。旧ストレージ装置（親）９１１と新ストレージ装置（子）９１２は、前述同様に外部接続の形式で接続する。旧ストレージ装置（親）９１１に接続されている子ストレージ装置（Ｓ２１）９２１から、新ストレージ装置（子）９１２に接続されている子ストレージ装置（Ｓ２２）９２２へ、前記Ｖコピー機能（複製作成機能）等を使用して、データ移行を行う。
【００４７】
データ移行の処理手順（１）〜（４）は例えば以下である（図１７中にも示す）。（１）まず、旧ストレージ装置（親）９１１内の正Ｖ(例：ＬＵＳＥ１)から、子ストレージ装置（Ｓ２１）９２１の副Ｖ（例：ＬＵＳＥ１１）へのデータコピーが、通常運用時に行われている。（２）子ストレージ装置（Ｓ２１）９２１の副Ｖ（ＬＵＳＥ１１）を正Ｖとして、新ストレージ装置（子）９１２に接続されている副Ｖ（例：ＬＵＳＥ１１０）へ、データコピーを行う。これにより、新ストレージ装置（子）９１２に接続されている子ストレージ装置（Ｓ２２）９２２へ、データ移行を行う。（３）新ストレージ装置（子）９１２の副Ｖ（ＬＵＳＥ１１０）から内蔵の正Ｖ（例：ＬＵＳＥ２）へ、データリストア処理する。（４）上記リストア処理が完了した場合、正Ｖ（ＬＵＳＥ２）で通常運用を開始する。例えば正Ｖ（ＬＵＳＥ２）から副Ｖへの日次バックアップ処理などを行う。
【００４８】
なお、上記（１）〜（４）の処理については、親ストレージ装置から子ストレージ装置にバックアップを行っている場合で、子ストレージ装置のデータがバックアップデータではなくマスタデータである場合には、上記（１）と（４）の処理が不要になる。
【００４９】
（実施の形態１）
以上を踏まえて、図１〜図６等を用いて、本発明の実施の形態１を説明する。実施の形態１では、第１の方式として、リモートサイト側で、複数の子ストレージ装置１２０内に分けて格納されているバックアップボリュームを１つの子ストレージ装置で統合して、ホスト装置から読み出すことができる構成である。
【００５０】
＜システム＞
図１において、実施の形態１のストレージシステムの構成（第１の方式）を示している。基本的な構成は、前述した前提システム構成と同様である。本システムにおいて、マスタサイトに、親ストレージ装置（Ｓ１）１１０及びそれに接続するホスト装置１０１等を有し、リモートサイトに、バックアップデータ保存用の複数の子ストレージ装置（Ｓ２）１２０等を有する。子ストレージ装置（Ｓ２）１２０としては、子ストレージ装置（＃１）１２０−１，子ストレージ装置（＃２）１２０−２，子ストレージ装置（＃３）１２０−３）を有する。親ストレージ装置（Ｓ１）１１０と子ストレージ装置（Ｓ２）１２０群がＦＣ−ＳＷ及びＷＡＮを介して接続されている。また、リモートサイト側でも子ストレージ装置（Ｓ２）１２０に対しホスト装置１０２が接続可能である。子ストレージ装置（Ｓ２）１２０は、親ストレージ装置（Ｓ１）１１０よりも規模や性能等が小さい構成であってもよい。
【００５１】
親ストレージ装置（Ｓ１）１１０は、メモリに、プログラムや各種制御情報、管理情報（Ｃ）などを記憶する。ポート（Ｐ，Ｐ１，Ｐ２）は、装置外部との通信接続処理に対応したポートである。親ストレージ装置（Ｓ１）１１０内の記憶領域に、ホスト装置１０１からデータ入出力されるＬＵＳＥ正Ｖ（Ｖ１）を保持し、また、そのペアとなるＬＵＳＥ副Ｖ（Ｖ２）を保持している。副Ｖ（Ｖ２）のデータ実体は、リモートサイト側の子ストレージ装置（Ｓ２）１２０内にバックアップボリューム（Ｂ：Ｂ１〜Ｂ４）であるＬＵ群として存在する。
【００５２】
本例では、Ｖ１は、ＬＵ１〜ＵＬ４から構成され、対応してＶ２は、ＬＵ１１，ＬＵ１２，ＬＵ２１，ＬＵ３２から構成されている。子ストレージ装置（＃１）１２０−１に、ＬＵ１１（Ｂ１），ＬＵ１２（Ｂ２）を有し、子ストレージ装置（＃２）１２０−２に、ＬＵ２１（Ｂ３），ＬＵ２２を有し、子ストレージ装置（＃３）１２０−３に、ＬＵ３１，ＬＵ３２（Ｂ４）を有する。
【００５３】
親ストレージ装置（Ｓ１）１１０は、機能として、リモートバックアップ機能、ＬＵＳＥ機能などを有する。リモートバックアップ機能は、Ｖコピー機能、外部接続機能から構成される。
【００５４】
本システムでは、マスタサイト被災時への対策として、システム構築時・修正時や通常時などに以下を行う。親ストレージ装置（Ｓ１）１１０内の副Ｖ（Ｖ２）についての管理情報（Ｃ）を、副Ｖ（Ｖ２）を構成するそれぞれのＬＵ（Ｂ１〜Ｂ４）内に書き込んでおく。即ち、複数の子ストレージ装置（Ｓ２）１２０におけるバックアップボリューム（Ｂ）である各ＬＵ（ＬＵ１１，ＬＵ１２，ＬＵ２１，ＬＵ３２）内に、管理情報（Ｃ）が書き込まれた状態で保存される。例えば、親ストレージ装置（Ｓ１）は、ボリュームの定義や更新に伴い管理情報（Ｃ）を作成・更新して、上記所定の場所（ＬＵ内など）に保存する。管理情報（Ｃ）の内容は、運用に伴って適宜更新される。
【００５５】
なお、典型的な運用では、リモートサイトの子ストレージ装置（Ｓ２）１２０側のみにバックアップデータを保持するのではなく、マスタサイトの親ストレージ装置（Ｓ１）１１０内にもバックアップデータを保持している。本例では、特にマスタサイト被災により親ストレージ装置１１０内からバックアップデータを一切取り出すことができない事態を想定している。そのため、リモートサイト側のみにバックアップデータを保持する場合を説明する。
【００５６】
また、複数ではなく１つの子ストレージ装置（Ｓ２）１２０内で複数のストレージボリューム（ＬＵ）に分けて格納されている場合であっても、同様に適用可能である。
【００５７】
＜管理情報＞
図２（ａ）〜（ｄ）において、管理情報（Ｃ）のテーブル構成例を示している。管理情報（Ｃ）は、ＬＵＳＥ機能により複数のＬＵを１つのＬＵＳＥボリュームとして扱う際、及びリモートバックアップの際における、ボリューム情報（ボリューム構成情報）等を含むものである。
【００５８】
（ａ）において、管理情報（Ｃ）として、本例では、ＬＵＳＥ管理テーブル（Ｔ１）、ペア管理テーブル（Ｔ２）、ＬＵ管理テーブル（Ｔ３）を有する。ＬＵＳＥ管理テーブル（Ｔ１）は、ＬＵＳＥボリュームの複数ＬＵの組み合わせの情報等である。ペア管理テーブル（Ｔ２）は、ボリュームのペア制御のための情報（ペア管理情報）である。ＬＵ管理テーブル（Ｔ３）は、各ＬＵと子ストレージ装置（Ｓ２）１２０内のＬＵとの対応付けの情報や各ＬＵの容量などを含む情報である。
【００５９】
（ｂ）において、ＬＵＳＥ管理テーブル（Ｔ１）は、ＬＵＳＥボリューム（Ｖ１，Ｖ２）と、それを構成するＬＵ群との対応関係の情報を有する。ＬＵＳＥ管理テーブル（Ｔ１）は、本例では、ＬＵＳＥ-ＩＤ（ＬＵＳＥ番号）とＬＵ-ＩＤ（ＬＵ番号）とを有する。例えば、ＬＵＳＥ正Ｖ（Ｖ１）は、ＬＵＳＥ-ＩＤが“０１”であり、ＬＵ-ＩＤが“０１”〜“０４”である４つのＬＵ（ＬＵ１〜ＬＵ４）から構成されている。ＬＵＳＥ副Ｖ（Ｖ２）は、ＬＵＳＥ-ＩＤが“１１”であり、ＬＵ-ＩＤが“１１”，“１２”，“２１”，“３２”である４つのＬＵ（ＬＵ１１，ＬＵ１２，ＬＵ２１，ＬＵ３２）から構成されている。
【００６０】
（ｃ）において、ペア管理テーブル（Ｔ２）は、論理ボリュームＩＤとそのバックアップ属性の情報を有する。論理ボリュームＩＤは、本例ではペアとなるＬＵＳＥボリューム（Ｖ１，Ｖ２）のＬＵＳＥ-ＩＤである。バックアップ属性は、本例では「正」（バックアップ（複製）元であることを示す）、または「副」（バックアップ（複製）先であることを示す）などの状態値である。例えば、論理ボリュームＩＤが“０１”でバックアップ属性が「正」であるＬＵＳＥ正Ｖ（Ｖ１）と、論理ボリュームＩＤが“１１”でバックアップ属性が「副」であるＬＵＳＥ副Ｖ（Ｖ２）とが、ペアとして管理される。
【００６１】
ＬＵ管理テーブル（Ｔ３）では、各ＬＵの詳細な情報を有し、本例では、ＬＵ-ＩＤ、ＲＡＩＤレベル、接続タイプ（格納装置）、ドライブタイプ、容量などの情報を有する。ＬＵ-ＩＤは、ＬＵＳＥ管理テーブル（Ｔ１）で示したのと同様である。ＲＡＩＤレベルは、当該ＬＵに適用されるＲＡＩＤ制御のレベルである（例：ＲＡＩＤ１，ＲＡＩＤ６）。接続タイプは、当該ＬＵの接続・格納の状態（ＬＵと子ストレージ装置（Ｓ２）１２０との対応付け）を示し、当該ＬＵが、自ストレージ装置（親）内部に格納されていること（「内部」）、または、外部接続のストレージ装置（子）内に格納されていること（「外部子ストレージ装置＃１」等）などを示す。本例での状態は、図１等に示す通りである。ドライブタイプは、当該ＬＵの領域を構成するＨＤＤ等のタイプを示す。容量は、当該ＬＵの容量（サイズ）である。
【００６２】
＜バックアップデータ読み出し＞
図３において、実施の形態１のシステムにおいて、マスタサイト被災による親ストレージ装置（Ｓ１）１１０等の損失時に、リモートサイト側でバックアップデータ（Ｖ２）を読み出す際の構成を示している。
【００６３】
対象の副Ｖ（Ｖ２）即ち複数のバックアップボリューム（Ｂ）の保持に対応した、各子ストレージ装置（＃１〜＃３）１２０のうちの一台、例えば子ストレージ装置（＃１）１２０−１、を統合先（星印で示す）として、以下のように処理を行う。ここで統合とは、読み出しの対象の副Ｖ（Ｖ２）を構成するデータ群、即ち複数のバックアップボリューム（Ｂ）を、１つの装置内にまとめて（収集）、１つのボリューム（Ｖ３とする）として読み出し可能な状態に構成することを指している。
【００６４】
統合先となる一台の子ストレージ装置（Ｓ２）１２０は、ユーザ（バックアップボリュームの読み出しを行う者）により、任意に指定することができる。本例では、バックアップデータ読み出し及び統合先の子ストレージ装置（Ｓ２）１２０の指定などのために、リモートサイトにおけるホスト装置１０２を有する。なお、このホスト装置１０２は、通常運用時には接続されている必要は無い。
【００６５】
統合先である子ストレージ装置（＃１）１２０−１では、対象ボリューム（Ｂ）における自装置内に保持しているＬＵ（ＬＵ１１，ＬＵ１２）に書き込まれている管理情報（Ｃ）を、例えばメモリへ読み出す。そして、子ストレージ装置（＃１）１２０−１は、その管理情報（Ｃ）の参照により、元の副Ｖ（Ｖ２）を構成しているＬＵ群の特定を行う。即ち、本例では、図２から、｛ＬＵ１１，ＬＵ１２，ＬＵ２１，ＬＵ３２｝の４つ及びそれを保持している各子ストレージ装置（＃１〜＃３）１２０が特定される。また、そのうち、自ストレージ装置（＃１）１２０−１内に保持していないＬＵが、子ストレージ装置（＃２）１２０−２内のＬＵ２１、子ストレージ装置（＃３）１２０−３内のＬＵ３２、であることが特定される。
【００６６】
上記ＬＵ等の特定ができた場合、子ストレージ装置（＃１）１２０−１は、統合先となるボリューム（Ｖ３）のための記憶領域を確保する。即ち、子ストレージ装置（＃１）１２０−１は、他の装置内のＬＵに対して、自装置内に存在する未使用で同サイズのＬＵを確保等する。そして、子ストレージ装置（＃１）１２０−１は、他の子ストレージ装置（＃２，＃３）１２０内のＬＵ（ＬＵ２１，ＬＵ３２）のデータを、確保されたＬＵの領域へ、データコピーにより取得する。本例では、矢印で示すように、ＬＵ２１のデータがＬＵ１３へコピーされ、ＬＵ３２のデータがＬＵ１４へコピーされる。
【００６７】
統合先の子ストレージ装置（＃１）１２０−１内において、他の各子ストレージ装置（＃２，＃３）１２０のＬＵ（ＬＵ２１，ＬＵ３２）からのデータコピー（収集）が完了し、対象のバックアップボリューム（Ｂ）を構成する全データ（Ｂ１〜Ｂ４）に対応するＬＵ群（ＬＵ１１，ＬＵ１２，ＬＵ１３，ＬＵ１４）を揃える。そして、子ストレージ装置（＃１）１２０−１は、揃えたＬＵ群を、管理情報（Ｃ）に基づき、１つのボリューム（Ｖ３）として統合し、１つの連続的に読み出し可能なデータとしてリモートサイトのホスト装置１０２から認識させる。子ストレージ装置（＃１）１２０−１内の制御情報も更新される。この統合されたボリューム（Ｖ３）のデータ内容は、元の副Ｖ（Ｖ２）と同じである。これによって、リモートサイトのホスト装置１０２から、統合先の子ストレージ装置（＃１）１２０−１内の対象のバックアップデータのボリューム（Ｖ３）即ち再構成された副Ｖ（Ｖ２）の読み出しが可能な状態になる。
【００６８】
副Ｖ（Ｖ２）に関する統合処理により、管理情報（Ｃ）のテーブルは、図２中に示すように更新される。即ち、ＬＵＳＥ管理テーブル（Ｔ１）では、ＬＵ２１からＬＵ１３へ、ＬＵ３２からＬＵ１４へ、ＬＵ-ＩＤを変更する。また、ＬＵ管理テーブル（Ｔ３）では、ＬＵ２１の接続タイプが「外部子ストレージ装置＃２」から「外部子ストレージ装置＃１」へ変更され、ＬＵ３２の接続タイプが「外部子ストレージ装置＃３」から「外部子ストレージ装置＃１」へ変更される。
【００６９】
上記統合及びバックアップデータ読み出しの際における動作は例えば以下である。リモートサイトのホスト装置１０２のプログラム（ストレージ利用プログラム等）から、例えばユーザが指定した子ストレージ装置（＃１）１２０−１へ、読み出し対象のボリューム（Ｖ２）の統合の要求（コマンド等）を送信する（ａ）。この要求は、例えば図示しない制御通信用のＩＰネットワーク等を通じて送信されてもよい。その要求を受けた子ストレージ装置（＃１）１２０−１は、上記統合処理を実行して、統合されたバックアップデータのボリューム（Ｖ３）を生成する。そして、リモートサイトのホスト装置１０２へ、対象のボリューム（Ｖ３）が読み出し可能な状態である旨の応答を送信する（ｂ）。その応答を受けたホスト装置１０２は、子ストレージ装置（＃１）１２０−１から、対象のボリューム（Ｖ３）のデータを読み出しする。
【００７０】
なお、リモートサイトのホスト装置１０２としては、子ストレージ装置（Ｓ２）１２０に管理用情報処理装置（ＳＶＰ：サービスプロセッサ）が接続されている場合には、そのＳＶＰから上記指示に応じた統合及びバックアップデータ読み出しの動作を同様に行うことが可能である。
【００７１】
＜マスタ−装置構成＞
図４において、マスタサイトにおいて、ホスト装置１０１及び親ストレージ装置（Ｓ１）１１０のハードウェア構成を示している。
【００７２】
ホスト装置１０１は、ＣＰＵ３０１、メモリ３０２、ポート（Ｐ）３０３、及び図示しない入力装置（キーボード等）・出力装置（ディスプレイ等）等を有する。ホスト装置１０１において、メモリ３０２に、業務処理を行うための業務プログラム３１１、親ストレージ装置（Ｓ１）１１０を管理・利用するためのストレージ利用プログラム３１２を有する。ホスト装置１０１のユーザは、ストレージ利用プログラム３１２の機能を用いて、親ストレージ装置（Ｓ１）１１０内のＬＵに対して、データを読み書きする。ホスト装置１０１からは、複数に分けて格納されているＬＵ群などを認識する必要はなく、ＬＵＳＥボリューム（Ｖ１）を対象として指定して入出力アクセスが行われる。
【００７３】
親ストレージ装置（Ｓ１）１１０は、制御装置（コントローラ）４０１と、ＨＤＤ３０等の記憶装置群により提供される記憶領域（ストレージ）４０２とを備え、制御装置４０１により記憶領域４０２に対するデータの格納を制御（ＲＡＩＤ制御等）するものである。制御装置４０１は、ストレージ装置全体の制御の他に、外部通信のためのチャネルＩ/Ｆ（ホストＩ/Ｆ）制御処理を行う機能（チャネルアダプタ：ＣＨＡ）、内部の記憶領域のディスク（ＨＤＤ３０）との通信のためのディスクＩ/Ｆ制御処理を行う機能（ディスクアダプタ：ＤＫＡ）等を備える。記憶領域４０２において、ＬＵ等の論理ボリュームは、ＨＤＤ３０等の記憶装置上に確保される。また、ストレージ装置のバス（内部網）に対して、ＳＶＰ５０が接続可能である（内蔵または外部接続等）。ＳＶＰ５０では、公知の保守管理系の処理が可能である。
【００７４】
制御装置４０１は、ＣＰＵ（プロセッサ）４０３、メモリ４０４、ポート（Ｐ）４０５等を備える。ＣＰＵ４０３は、メモリ４０４上のプログラム４１０を実行することにより、各種機能を実現する。メモリ４０４上には管理情報（Ｃ）４２０等が保持される。プログラム４１０として、Ｖコピー機能（４１１）、外部接続機能（４１２）、及びＬＵＳＥ機能（４１３）に対応した各プログラムを有する。Ｖコピー機能（４１１）と外部接続機能（４１２）によりリモートバックアップ機能が構成される。
【００７５】
＜リモート−装置構成＞
図５において、リモートサイトにおいて、ホスト装置１０２及び子ストレージ装置（Ｓ２）１２０のハードウェア構成を示している。基本的には図４のマスタサイト側の構成と同様である。
【００７６】
ホスト装置１０２は、メモリ３０２に、子ストレージ装置（Ｓ２）１２０を管理・利用するためのストレージ利用プログラム３１２を有する。ストレージ利用プログラム３１２の機能を用いて、ユーザは、バックアップデータ読み出しのための動作を行うことができる。
【００７７】
子ストレージ装置１２０において、メモリ４０４には、統合処理等のために必要となる管理情報（Ｃ）４２０等や、統合処理のための統合プログラム（４１４）を有する。子ストレージ装置（Ｓ２）１２０側では、統合プログラム（４１４）により、統合処理を行う。
【００７８】
＜統合処理＞
図６において、前記統合処理（統合プログラム（４１４）による処理）のフローを示している（Ｓは処理ステップを示す）。まず、Ｓ１０１では、統合先の子ストレージ装置（Ｓ２）１２０（例：＃１）の制御装置４０１（ＣＰＵ４０３）は、対象のボリューム（Ｖ２，Ｂ）を構成するＬＵに対応するディスクに保存されている管理情報（Ｃ）を、メモリ４０４へ読み出す。Ｓ１０２で、ＣＰＵ４０３は、メモリ４０４上の管理情報（Ｃ）の参照により、元のボリューム（Ｖ２）即ち複数のバックアップボリューム（例：Ｂ１〜Ｂ４）を構成しているＬＵ群を特定する。例えば、ＬＵＳＥ管理テーブル（Ｔ１）及びペア管理テーブル（Ｔ２）の参照から、副Ｖ（Ｖ２）のＬＵＳＥ-ＩＤ“１１”に対応するＬＵ群のＬＵ-ＩＤが、“１１”，“１２”，“２１”，“３２”だとわかる。更に、Ｓ１０３で、そのＬＵ群のうち、他の子ストレージ装置１２０内に存在するＬＵを特定する。例えば、ＬＵ管理テーブル（Ｔ３）から、子ストレージ装置＃１は、ＬＵ-ＩＤが“１１”，“１２”のＬＵが自装置に存在し、ＬＵ-ＩＤが“２１”のＬＵはストレージ装置＃２に存在し、ＬＵ-ＩＤが“３２”のＬＵはストレージ装置＃３に存在することがわかる。Ｓ１０４で、ＣＰＵ４０３は、特定した他の子ストレージ装置（Ｓ２）１２０内のＬＵ（ＬＵ２１，ＬＵ３２）と同等サイズかつ自装置内で未使用のＬＵ（例：ＬＵ１３，ＬＵ１４）を選定し確保する。Ｓ１０５で、ＣＰＵ４０３は、他の子ストレージ装置（Ｓ２）１２０内のＬＵから自装置内の確保されたＬＵ（ＬＵ１３，ＬＵ１４）へ、子ストレージ装置１２０間でのデータコピーを行う。これにより各ＬＵのデータを自装置内に収集する。Ｓ１０６で、ＣＰＵ４０３は、元のボリューム（Ｖ２）を構成する全ＬＵのデータが、自装置内のＬＵ（例：ＬＵ１１〜ＬＵ１４）のデータとして揃ったかどうかを確認する。揃わない場合（Ｎ）、Ｓ１０３に戻り、揃った場合（Ｙ）、Ｓ１０７で、ＣＰＵ４０３は、自装置内に収集された、元のボリューム（Ｖ２）のデータを格納しているＬＵ群（例：ＬＵ１１〜ＬＵ１４）を、管理情報（Ｃ）をもとに、１つのボリューム（Ｖ３）として統合する。Ｓ１０８で、ＣＰＵ４０３は、統合されたボリューム（Ｖ３）の情報をもとに管理情報（Ｃ）を更新し（図２）、当該ボリューム（Ｖ３）を構成している各ＬＵへその更新された管理情報（Ｃ）を書き込む。以上によりボリューム（Ｖ３）がホスト装置１０２から読み出し可能な状態になる。
【００７９】
実施の形態１によれば、マスタサイト被災時にも、リモートサイト側でホスト装置１０２等からバックアップデータを迅速に読み出すことができる。
【００８０】
（実施の形態２）
次に、図７〜図８を用いて、本発明の実施の形態２を説明する。実施の形態２では、第２の方式として、リモートサイトのホスト装置内で対象のボリュームの統合処理を行うものである。
【００８１】
図７において、実施の形態２におけるシステムを示している。実施の形態２では、実施の形態１と同様の目的及び基本構成において、管理情報（Ｃ）を、子ストレージ装置１２０内ではなく、リモートサイト側にあるホスト装置１０２内に保存しておく。マスタサイト側は実施の形態１の図１等の構成と同様である。
【００８２】
リモートサイトのホスト装置１０２は、ストレージ利用プログラムの他、例えば一般的なＬＶＭ（論理ボリューム管理）機能（３１３）を備える。ＬＶＭ機能（３１３）は、複数の論理ボリュームを１つの論理ボリュームとして扱う機能である（なおこれはストレージ装置におけるＬＵＳＥ機能とは異なる）。また、実施の形態２では、ホスト装置１０２側に統合プログラム（３１４）を備える。
【００８３】
マスタサイト被災時には、管理情報（Ｃ）が保存されているホスト装置１０２において、読み出した管理情報（Ｃ）に基づき、実施の形態１と同様に、対象のボリューム（Ｖ２）に対応するＬＵ群のデータを収集する。そして、ホスト装置１０２は、ＬＶＭ機能（３１３）などを使用して、対象のボリューム（Ｖ２）を構成するＬＵ群を、１つのボリューム（Ｖ３）として統合し、バックアップデータの読み出しを行う。
【００８４】
図８において、実施の形態２における統合処理を示している。Ｓ２０１で、リモートサイトのホスト装置１０２は、自装置内に保存されている管理情報（Ｃ）を読み出す。Ｓ２０２で、ホスト装置１０２は、読み出した管理情報（Ｃ）をもとに、元のボリューム（Ｖ２）を構成しているＬＵ群を特定する。Ｓ２０３で、ホスト装置１０２は、各子ストレージ装置（Ｓ２）１２０（＃１〜＃３）から対象のＬＵのデータを読み出し、自装置内に収集する。Ｓ２０４で、ホスト装置１０２は、ＬＶＭ機能（３１３）を用いて、収集されたＬＵ群を、管理情報（Ｃ）をもとに、１つのボリューム（Ｖ３）として統合する。
【００８５】
実施の形態２によれば、マスタサイト被災時にも、リモートサイト側でホスト装置１０２からバックアップデータを迅速に読み出すことができる。
【００８６】
（実施の形態３）
次に、図９〜図１０を用いて、本発明の実施の形態３を説明する。実施の形態３では、第３の方式として、リモートサイトに代替の親ストレージ装置を準備して、対象ボリュームの統合及びデータリストア処理を行う場合である。
【００８７】
図９において、実施の形態３のシステムを示している。マスタサイト側は前述同様の構成である。実施の形態３では、管理情報（Ｃ）を、リモートサイト側における、子ストレージ装置１２０内、又は、ホスト装置１０２内、又は、その両方、に保存しておく。本例では、その両方に保存しておく場合を示している。
【００８８】
マスタサイト被災時には、リモートサイト内において、元（旧）の親ストレージ装置（Ｓ１）１１０に対する代替親ストレージ装置（Ｓ３）１３０を用意して、同じように接続する。なお、代替親ストレージ装置（Ｓ３）１３０は、元（旧）の親ストレージ装置（Ｓ１）１１０と同一の構成とは限らない（ボリューム構成等は同じ）。代替親ストレージ装置（Ｓ３）１３０は、統合プログラム（４１４）を備える。
【００８９】
代替親ストレージ装置（Ｓ３）１３０は、リモートサイトのホスト装置１０２または子ストレージ装置（Ｓ２）１２０内（ＬＵ内）に保存しておいた管理情報（Ｃ）を、通信処理を介して、自装置内に読み込む。例えばホスト装置１０２からメモリへ管理情報（Ｃ）を読み込む。そして、代替親ストレージ装置（Ｓ３）１３０は、その読み込んだ管理情報（Ｃ）をもとに、前述同様に、対象のボリューム（Ｖ２）を構成するＬＵ群のデータを収集して１つのボリューム（Ｖ３）への統合処理を行う。そして、その統合されたボリューム（Ｖ３）即ち再構成された副Ｖ（Ｖ２）から、Ｖコピーによって、正Ｖ（Ｖ１）のデータへのリストア処理を行う。
【００９０】
また例えば、上記動作の際は、代替親ストレージ装置（Ｓ３）１３０に対して接続されるリモートサイトのホスト装置１０２（またはＳＶＰ）から、代替親ストレージ装置（Ｓ３）１３０に対して、統合処理の要求を送信する。これにより、実施の形態１等と同様に、上記対象ボリューム（Ｖ２）の統合処理を行い、ホスト装置１０２へ応答を送信する。
【００９１】
図１０において、実施の形態３における統合処理を示している。Ｓ３０１で、代替親ストレージ装置（Ｓ３）１３０は、リモートサイトのホスト装置１０２または子ストレージ装置（Ｓ２）１２０から、保存されている管理情報（Ｃ）を自装置内へ読み込む。Ｓ３０２で、代替親ストレージ装置（Ｓ３）１３０は、読み込んだ管理情報（Ｃ）から、対象のボリューム（Ｖ２）を構成しているＬＵ群や装置などを特定する。Ｓ３０３で、代替親ストレージ装置（Ｓ３）１３０は、ＬＵ群を保持している各子ストレージ装置（Ｓ２）１２０（＃１〜＃３）から、ＬＵ群のデータを読み出して収集する。Ｓ３０４で、代替親ストレージ装置（Ｓ３）１３０は、収集されたＬＵ群を、管理情報（Ｃ）をもとに、１つのボリューム（Ｖ３）として統合する。統合されたボリューム（Ｖ３）のデータ内容は、元の副Ｖ（Ｖ２）と同じである。また、Ｓ３０５で、代替親ストレージ装置（Ｓ３）１３０は、元の副（Ｖ２）対応する正Ｖ（Ｖ１）を定義・作成しておく。なおこれは他の処理ステップとしてもよい。Ｓ３０６で、代替親ストレージ装置（Ｓ３）１３０は、統合により作成されたボリューム（Ｖ３）即ち副Ｖ（Ｖ２）のデータを正Ｖ（Ｖ１）へデータコピーすることにより、正Ｖ（Ｖ１）をリストアする。
【００９２】
実施の形態３によれば、マスタサイト被災時にも、リモートサイト側における代替親ストレージ装置（Ｓ３）１３０でバックアップデータをもとに正Ｖ（Ｖ１）のデータをリストアすることができる。
【００９３】
（実施の形態４）
次に、図１１〜図１２を用いて、本発明の実施の形態４を説明する。実施の形態４は、実施の形態１〜３に対して、親ストレージ装置のマイグレーション（リプレース）への応用である。これはサイト被災のケースには限られない。また、本形態では、サイトは、マスタ／リモート等は関係無い。本例では、移行として、サイトにおいて旧親ストレージ装置（Ｓ４）から新親ストレージ装置（Ｓ５）へデータ移行する場合を示す。
【００９４】
図１１において、サイトにおいて、旧親ストレージ装置（Ｓ４）１４０と、子ストレージ装置（Ｓ２）１２０と、移行先となる新親ストレージ装置（Ｓ５）１５０とを有する。新・旧の親ストレージ装置（Ｓ４，Ｓ５）は、実施の形態１の親ストレージ装置（Ｓ１）１１０等と基本構成が同様とする。旧親ストレージ装置（Ｓ４）１４０から子ストレージ装置（Ｓ２）１２０に対しては、前述同様に、正Ｖ（Ｖ１）から副Ｖ（Ｖ２）へのバックアップが行われており、バックアップボリューム（Ｂ）が複数の子ストレージ装置（Ｓ２）１２０内に格納されている。
【００９５】
旧親ストレージ装置（Ｓ４）１４０から新親ストレージ装置（Ｓ５）１５０へのデータ移行（あるいは構成移行など）を行う。その際、旧親ストレージ装置（Ｓ４）１４０から子ストレージ装置（Ｓ２）１２０へバックアップしていたボリューム（Ｖ２）のデータを、実施の形態３の方法（統合及びリストア処理）を用いることにより、新親ストレージ装置（Ｓ５）１５０へ移行する。
【００９６】
図１２において、実施の形態４におけるデータ移行の処理を示している。Ｓ４０１は、前述同様の処理（管理情報（Ｃ）の保存）である。Ｓ４０１では、旧親ストレージ装置（Ｓ４）１４０のメモリに保持している副Ｖ（Ｖ２）等についての管理情報（Ｃ）を、当該副Ｖ（Ｖ２）を構成する各子ストレージ装置１２０内のＬＵ内やホスト装置１０２内へ保存しておく。前述の第１〜第３の方式に応じて、サイトのいずれかの場所（ホスト装置１０２や子ストレージ装置１２０）に管理情報（Ｃ）が保存されている状態とする。あるいは、データ移行の実行の際に、あらためてＳ４０１の処理を実行する形としてもよい。
【００９７】
Ｓ４０２では、本サイトにおいて、旧親ストレージ装置（Ｓ４）１４０の代わりに、データ移行先になる新親ストレージ装置（Ｓ５）１５０を接続する。
【００９８】
Ｓ４０３では、新親ストレージ装置（Ｓ５）１５０は、ホスト装置１０２または子ストレージ装置（Ｓ２）１２０内ＬＵの該当の管理情報（Ｃ）を読み出し、それに基づき、前述同様に、副Ｖ（Ｖ２）に対応するＬＵ群のデータを１つのボリューム（Ｖ３）として統合する。
【００９９】
Ｓ４０４では、新親ストレージ装置（Ｓ５）１５０内で、統合により得た副Ｖ（Ｖ２）相当のボリューム（Ｖ３）から、定義した正Ｖ（Ｖ１）へ、ボリュームコピーによりデータをリストア処理する。これにより、新規の状態への移行が完了する。
【０１００】
従来の方式で実施の形態４と同様のことを実現する場合には、旧親ストレージ装置（Ｓ４）１４０と同構成の子ストレージ装置を新ストレージ装置側に準備（接続等）する必要がある（図１６，図１７）。一方、本実施の形態の方式を用いることにより、旧親ストレージ装置（Ｓ４）１４０で使用していた子ストレージ装置（Ｓ２）１２０を、そのまま、新親ストレージ装置（Ｓ５）１５０側に流用することができる。
【０１０１】
＜１Ｂ＞
次に、図１３において、実施の形態１の応用であり、前記第１の方式に関連した構成（１Ｂ）として、リモートサイトの子ストレージ装置（Ｓ２）１２０（例：＃１）でバックアップデータを１つのボリューム（Ｖ３）に統合した後に、マスタサイトの親ストレージ装置（Ｓ１）１１０へのデータリストア処理を行う場合について示す。リモートサイト側でバックアップデータを読み出すまでの動作だけではなく、その後にそのバックアップデータを利用してマスタサイト側に反映する動作の例である。
【０１０２】
前述の第１の方式に従って、ホスト装置１０２からの要求に従って、例えば子ストレージ装置（＃１）１２０−１内にバックアップデータを１つのボリューム（Ｖ３）としてまとめる。その後、子ストレージ装置（＃１）１２０−１で該当の管理情報（Ｃ）の更新を行う。これにより、子ストレージ装置（＃１）１２０−１内で副Ｖ（Ｖ２）相当のボリューム（Ｖ３）を構成している全ＬＵ（ＬＵ１１，ＬＵ１２，ＬＵ１３，ＬＵ１４）に対し、更新された管理情報（Ｃ’とする）を書き込む。なお、ここまでの動作は、子ストレージ装置（＃１）１２０−１に他の子ストレージ装置１２０内のＬＵをコピー（収集）する動作の延長で自動的に行う。ここまでが終了した時点で、子ストレージ装置（＃１）１２０−１からホスト装置１０２へ終了通知を行う。
【０１０３】
次に、マスタサイトの親ストレージ装置（Ｓ１）１１０へのデータリストア処理は、前記第３の方式と同様の手順で行う。例えば、親ストレージ装置（Ｓ１）１１０に接続されているホスト装置１０１（またはＳＶＰ）から親ストレージ装置（Ｓ１）１１０へ、データリストア等の要求を送信する（ａ）。そして、要求を受けた親ストレージ装置（Ｓ１）１１０は、子ストレージ装置（＃１）１２０−１から、その内部のＬＵ内に書き込まれている管理情報（Ｃ’）を読み込む。そして、親ストレージ装置（Ｓ１）１１０は、その管理情報（Ｃ’）に基づき、副Ｖ（Ｖ２）相当を復元（または更新）し、その後、その副Ｖ（Ｖ２）から正Ｖ（Ｖ１）へのデータリストアを行う。こうして正Ｖ（Ｖ１）のリストアが完了した時点で、親ストレージ装置（Ｓ１）１１０からホスト装置１０１へ、終了通知（ｂ）を行う。
【０１０４】
＜２Ｂ＞
次に、前記図７等において、実施の形態２の応用であり、前記第２の方式に関連した構成（２Ｂ）として、リモートサイトのホスト装置１０２においてバックアップデータを１つのボリューム（Ｖ３）に統合した後に、マスタサイトの親ストレージ装置（Ｓ１）１１０へのデータリストア処理を行う場合について示す。
【０１０５】
マスタサイト被災後の状況に応じた動作を行う。副Ｖ（Ｖ２）を構成していたＬＵ（ＬＵ１１，ＬＵ１２，ＬＵ２１，ＬＵ３２）に更新が無いため、管理情報（Ｃ）の更新も無い。
【０１０６】
まず、マスタサイトにおいて元の親ストレージ装置（Ｓ１）１１０が使用可能だった場合、親ストレージ装置（Ｓ１）１１０内部に格納している副Ｖ（Ｖ２）から、正Ｖ（Ｖ１）へのデータリストア処理を行う。
【０１０７】
また、マスタサイトにおいて元の親ストレージ装置（Ｓ１）１１０が使用不可能だった場合などに、代替（新）親ストレージ装置を準備した場合、前記第３の方式と同じ動作を行う（リモートサイトのホスト装置１０２からの管理情報（Ｃ）の読み出し等）。
【０１０８】
＜３Ｂ＞
次に、図１４において、実施の形態３の応用であり、前記第３の方式に関連した構成（３Ｂ）として、リモートサイトで代替親ストレージ装置（Ｓ３）１３０へデータリストア処理した後にマスタサイトの親ストレージ装置（Ｓ６）１６０（Ｓ１と同様構成）へのデータリストア処理を行う場合について示す。
【０１０９】
前述の第３の方式における代替親ストレージ装置（Ｓ３）１３０へのバックアップデータ（Ｖ２）の統合（正Ｖ（Ｖ１）のデータリストア処理）の動作と同じ手順を用いる。まず、その動作により、代替親ストレージ装置（Ｓ３）１３０に、副Ｖ（Ｖ２）及び正Ｖ（Ｖ１）が構成される。次に、上記手順を用いて、リモートサイトの代替親ストレージ装置（Ｓ３）１３０から、マスタサイトの親ストレージ装置（Ｓ６）１６０へ、データ移行を行う。データ移行により、マスタサイトの親ストレージ装置（Ｓ６）１６０内に、対象の副Ｖ（Ｖ２）が構成され、正Ｖ（Ｖ１）のデータがリストアされる。
【０１１０】
上記各構成（１Ｂ，２Ｂ，３Ｂ）により、リモートサイト側でのバックアップデータ読み出しだけでなく、マスタサイト側でのデータリストア、復旧等が実現される。
【０１１１】
以上、本発明者によってなされた発明を実施の形態に基づき具体的に説明したが、本発明は前記実施の形態に限定されるものではなく、その要旨を逸脱しない範囲で種々変更可能であることは言うまでもない。
【産業上の利用可能性】
【０１１２】
本発明は、リモートバックアップシステム、ディザスタリカバリシステム等に利用可能である。
【図面の簡単な説明】
【０１１３】
【図１】本発明の実施の形態１におけるストレージシステムの構成を示す図である。
【図２】（ａ）〜（ｄ）は、本発明の実施の形態１のストレージシステムにおいて、管理情報の構成例を示す図である。
【図３】本発明の実施の形態１のストレージシステムにおいて、リモートサイトにおけるバックアップデータ読み出しについて示す図である。
【図４】本発明の実施の形態１のストレージシステムにおいて、マスタサイト側のホスト装置と親ストレージ装置のハードウェア構成を示す図である。
【図５】本発明の実施の形態１のストレージシステムにおいて、リモートサイト側のホスト装置と子ストレージ装置のハードウェア構成を示す図である。
【図６】本発明の実施の形態１のストレージシステムにおいて、統合処理のフローを示す図である。
【図７】本発明の実施の形態２におけるストレージシステムの構成（リモートサイト側のみ）を示す図である。
【図８】本発明の実施の形態２のストレージシステムにおいて、統合処理のフローを示す図である。
【図９】本発明の実施の形態３におけるストレージシステムの構成（リモートサイト側のみ）を示す図である。
【図１０】本発明の実施の形態３のストレージシステムにおいて、統合処理のフローを示す図である。
【図１１】本発明の実施の形態４におけるストレージシステムの構成を示す図である。
【図１２】本発明の実施の形態４のストレージシステムにおいて、データ移行の処理のフローを示す図である。
【図１３】本発明の実施の形態１のストレージシステムの応用の構成（１Ｂ）において、マスタサイトにおけるデータリストアについて示す図である。
【図１４】本発明の実施の形態３のストレージシステムの応用の構成（３Ｂ）において、マスタサイトへのデータ移行について示す図である。
【図１５】従来のストレージシステムの構成を示す図である。
【図１６】従来のストレージシステムにおいて、旧ストレージ装置から新ストレージ装置へのデータ移行を行う場合の構成を示す図である。
【図１７】従来のストレージシステムにおいて、旧ストレージ装置から新ストレージ装置へのデータ移行を行う場合で、外部接続の子ストレージ装置が存在する場合の構成を示す図である。
【符号の説明】
【０１１４】
３０…ＨＤＤ、５０…ＳＶＰ、１０１，１０２，９０１，９０２…ホスト装置、１１０，９１０…親ストレージ装置（Ｓ１）、１１１…、１２０，１２０−１〜３，９２０…子ストレージ装置（Ｓ２）、１３０…代替親ストレージ装置（Ｓ３）、１４０…旧親ストレージ装置（Ｓ４）、１５０…新親ストレージ装置（Ｓ５）、１６０…親ストレージ装置（Ｓ６）、３０１…ＣＰＵ、３０２…メモリ、３０３…ポート（Ｐ）、３１１…業務プログラム、３１２…ストレージ利用プログラム、３２０…管理情報、４０１…制御装置、４０２…記憶領域（ストレージ）、４０４…メモリ、４０５…ポート（Ｐ）、４１０…プログラム、４１１…Ｖコピープログラム、４１２…外部接続プログラム、４１３…ＬＵＳＥプログラム、４１４…統合プログラム、４２０…管理情報、９１１…旧ストレージ装置（親）、９１２…新ストレージ装置（子）、９２１…子ストレージ装置（Ｓ２１）、９２２…子ストレージ装置（Ｓ２２）。
【図１】
2008186142.tif 000003
【図２】
2008186142.tif 000004
【図３】
2008186142.tif 000005
【図４】
2008186142.tif 000006
【図５】
2008186142.tif 000007
【図６】
2008186142.tif 000008
【図７】
2008186142.tif 000009
【図８】
2008186142.tif 000010
【図９】
2008186142.tif 000011
【図１０】
2008186142.tif 000012
【図１１】
2008186142.tif 000013
【図１２】
2008186142.tif 000014
【図１３】
2008186142.tif 000015
【図１４】
2008186142.tif 000016
【図１５】
2008186142.tif 000017
【図１６】
2008186142.tif 000018
【図１７】
2008186142.tif 000019